(57)【要約】【課題】貯氷庫本体の氷取出口から氷塊を取り出す際に氷塊をスコップで掬い易くすることができる貯氷庫を提供する。【解決手段】前壁８における上面８ｂの後部を所定寸法だけ垂下させて凹部３０を形成している。この凹部３０は、氷取出口４の下縁に沿って横方向に延在して形成されている。スロープ１５を回動自在に枢支する支持軸３５は、前記凹部３０内に臨む位置に配置されている。これによりスロープ１５の回転軸は凹部３０内に臨んだ位置に配置されることとなる。【選択図】図１
2010139173.tif 000002
【特許請求の範囲】
【請求項１】
内部に氷塊を貯留する貯氷庫本体と、
前記貯氷庫本体の一側に形成された氷取出口と、
前記貯氷庫本体に回動可能に支持されて前記氷取出口を開閉する外扉と、
回動支持部を介して前記貯氷庫内に回動可能に支持され、前記外扉の回動に追従して回動すると共に、外扉を開放した状態で氷取出口から氷塊を取り出す際に氷塊を庫外へ案内する案内面を有するスロープとを備えた貯氷庫において、
前記氷取出口近傍の貯氷庫内面には、前記氷取出口の下縁に沿って延在する凹部が設けられ、該凹部に対応した位置に前記スロープの回動支持部を配設したことを特徴とする貯氷庫。
【発明の詳細な説明】
【技術分野】
【０００１】
この発明は、製氷された氷塊を貯留する貯氷庫に関し、特に、外扉を開放して貯氷庫本体の氷取出口から氷塊を取り出す際に氷塊をスコップで掬い易くすることができる貯氷庫に関するものである。
【背景技術】
【０００２】
従来、貯氷庫は、図３に示すように貯氷庫本体２は略箱形に形成されており、内部には貯氷庫本体２の上方に配置された図示しない製氷機構から放出される氷塊Ｒを貯留する貯氷室３が形成されている。貯氷庫本体２の正面側には底壁７から所定寸法立ち上がった前壁８が立設されており、その上方に氷取出口４が形成されている。底壁７の後部には、製氷機構から排出される排水や氷塊Ｒからの融氷水を機外へ排出するための排水口９が形成されている。前壁８の貯氷室３側の面は、後方に傾斜した傾斜面８ａとされており、スコップで手前側の氷塊Ｒを掬うときに傾斜面８ａを案内面とすることで、氷塊Ｒを掬い易くし、更に使用者が貯氷室３内を見たときに死角ができないようにしている。また、前壁８の前面にヒンジ１０が配設されると共に、該ヒンジ１０には外扉１２がその下端部を回動自在に支持されている。これにより、外扉１２の上端部をヒンジ１０を介して回動することで、前記氷取出口４を開閉するよう構成されている。外扉１２の裏面側すなわち貯氷庫本体２の貯氷室３内には、外扉１２の回動に追従して回動して氷取出口４を開閉する樹脂製のスロープ１５が設けられている。
【０００３】
スロープ１５は図４に示すように、その断面が略コの字状に成形された板状の部材であって、貯氷室３に貯留されている氷塊Ｒを氷取出口４を介して庫外へ案内する氷案内板１７と、この氷案内板１７の両側端部に立設される側板１８とから基本的に構成されている。側板１８は、図４に示された状態で前側が低く、後側が高く形成されており、後側の下部には、円形状に穿設された取付孔２０が形成されている。氷案内板１７の後端には、下方に垂下した折曲片２１（図６参照）が形成されており、外扉１２を開放操作して氷塊Ｒをスコップで取り出す際に、氷案内板１７と前壁８との間に氷塊Ｒを入り込ませない防壁の役割を果たすとともに、補強の役割も果たしている。貯氷庫本体２の各側壁内面６における氷取出口４近傍の下方位置には、互いに対向するように突出する一対の支持軸（図２参照）が樹脂製の側壁内面６と一体でそれぞれ形成されており、前記取付孔２０を該支持軸に係合することにより、スロープ１５は貯氷庫本体２に対して回動自在に枢支される。また、スロープ１５は図３及び図５に示すように、外扉１２の開閉に伴って氷案内板１７の上端が外扉１２の裏面に配設された断面Ｌ字状のホルダ２２に係脱自在に係合することで、外扉１２の回動に追従して回動するように構成されている。
【０００４】
このような貯氷庫では、外扉１２を開放操作すると、スロープ１５も外扉１２の開放方向と同一方向に回動し、スロープ１５の貯氷室３側に貯留されていた氷塊Ｒの一部が崩れて氷案内板１７上に移動するが、氷案内板１７と側板１８によって氷塊Ｒの機外への脱落が防止される。従って、スロープ１５を用いることにより、外扉１２を開放操作した際に貯氷室３に貯えられている氷塊Ｒを取り出す作業性が向上し、更に氷塊Ｒが氷取出口４から脱落することによって床面が濡れることを防止できる。
【特許文献１】特開２０００−１９３３５２号公報
【特許文献２】特開２０００−２０５７２０号公報
【発明の開示】
【発明が解決しようとする課題】
【０００５】
しかしながら、上述の貯氷庫では図６に示すように、外扉１２を開放した際の氷案内板１７の後端と、前壁８の貯氷室３側の面である傾斜面８ａとの間の段差により死角Ｄが生じてしまい、氷塊Ｒをスコップで取り出す際に、死角Ｄに貯留されている氷塊がすくい難いという問題があった。すなわち本発明は、前述した従来の技術に内在している前記課題に鑑み、これを好適に解決するべく提案されたものであって、外扉を開放して貯氷庫本体の氷取出口から氷塊を取り出す際に氷塊をスコップで掬い易くすることができる貯氷庫を提供することを目的とする。
【課題を解決するための手段】
【０００６】
前記課題を克服し、所期の目的を好適に達成するため、本発明に係る貯氷庫は、
内部に氷塊を貯留する貯氷庫本体と、前記貯氷庫本体の一側に形成された氷取出口と、前記貯氷庫本体に回動可能に支持されて前記氷取出口を開閉する外扉と、回動支持部を介して前記貯氷庫内に回動可能に支持され、前記外扉の回動に追従して回動すると共に、外扉を開放した状態で氷取出口から氷塊を取り出す際に氷塊を庫外へ案内する案内面を有するスロープとを備え、
前記氷取出口近傍の貯氷庫内面には、前記氷取出口の下縁に沿って延在する凹部が設けられ、該凹部に対応した位置に前記スロープの回動支持部を配設したことを特徴とする。
【発明の効果】
【０００７】
本発明に係る貯氷庫によれば、外扉を開放して貯氷庫本体の氷取出口から氷塊を取り出す際に氷塊をスコップで掬い易くすることができる。
【発明を実施するための最良の形態】
【０００８】
本発明に係る貯氷庫につき、好適な実施例を挙げて、図１及び図２を参照しながら以下説明する。図１は本発明の要部である氷取出口周辺部の拡大断面図であり、図２は外扉、スロープ及び貯氷庫本体の左側壁を取り除いた状態の氷取出口周辺部を示す斜視図である。なお、貯氷庫本体における氷取出口周辺部以外の基本的な構造、外扉及びスロープの構造は図３乃至図６を用いて説明した従来の構造と略同一であるため詳細な説明は省略して発明に係わる部分である貯氷庫本体の氷取出口周辺部について主に説明する。また、図３乃至図６で説明した部材と同一の部材については同一符号を用いて説明する。
【実施例】
【０００９】
図１及び図２に示すように、本発明に係る貯氷庫は、前壁８における上面８ｂの後部を所定寸法だけ垂下させて凹部３０を形成している。この凹部３０は、氷取出口４の下縁に沿って横方向に延在して形成されている。貯氷庫本体２の各側壁内面６には、互いに対向するように突出する一対の支持軸３５が樹脂製の側壁内面６と一体でそれぞれ形成されており、この支持軸３５にスロープ１５の取付孔２０を係合することによりスロープ１５が回動自在に枢支される。支持軸３５は、図１に示すように前壁８における上面８ｂを後方に延長した線と、傾斜面８ａを上方に延長した線とが交わる点に近接し、且つ前記凹部３０内に臨む位置に配置されている。これによりスロープ１５の回転軸は凹部３０内に臨んだ位置に配置されることとなる。また、凹部３０の後壁を成す凸部３７の高さは、前壁８の上面８ｂよりも低く、且つスロープ１５の回転軸に接近した高さに設定されている。また、凸部３７の両端、すなわち側壁内面６に面した部分には、切り欠き３９が設けてある。
【００１０】
次にスロープ１５の取り付け手順を説明する。スロープ１５は樹脂で一体成形されており、氷案内板１７の両端部(側板１８付近)を手で持って力を加えると、氷案内板１７を反った状態に変形させることができる。この反った状態で一方の取付孔２０を支持軸３５に係合させ、その後他方の取付孔２０を係合させて手を離すと、復元力により氷案内板１７は元の真直ぐな状態に戻る。以上のように、スロープ１５は特別な工具等を必要とすることなく簡単に取り付けることができる。
【００１１】
上記の手順でスロープ１５が取り付けられると、外扉１２及びスロープ１５を回動して氷取出口４を開放した図１の状態において、スロープ１５の回転軸の中心に位置する氷案内板１７の後端部と凸部３７とは僅かな隙間を残して非常に接近した位置関係となる。従来、氷噛みを防止する折曲片２１が存在するとはいえ、折曲片２１が回動するスペースが必要なため折曲片２１と傾斜面８ａとの間には多少の隙間が必要であり、スロープ１５を閉じる際に小さな氷塊がこの隙間に挟まり閉め難いことがあったが、本実施例では折曲片２１を凹部３０内で回動するようにしたので、氷案内板１７の後端部と凸部３７とを接近して配置させることができ、氷噛みの発生確率を更に抑制することができる。更に、凸部３７の高さを上面８ｂより低くしたことにより、図１の状態において、後方に傾斜する氷案内板１７の上面(氷塊の案内面)の略延長線上に傾斜面８ａの上端が位置するので、氷案内板１７の上面と傾斜面８ａとが連続成形により繋がっているような位置関係となり、従来のような死角は無くなり、氷案内板１７の上面から傾斜面８ａにかけて大きな凹凸や段差が無くなる。なお、貯氷時や氷塊取り出し時に凹部３０内には融氷水が流れ込むが、融氷水は前記切り欠き３９から傾斜面８ａへと流れ、最終的に排水口９から機外へ排出される。この切り欠き３９は、スロープ１５の側板１８における取付孔２０部分の設置スペースも兼ねている。
【００１２】
以上のように、実施例の貯氷庫によれば、凹部に対応した位置にスロープの回動支持部(支持軸)を配置したので、スロープによる死角が無くなりスコップで氷塊を掬い易くなった。スロープの回転軸の中心に位置する氷案内板の後端部と凸部とを接近して配置したので、隙間を狭くすることができ氷噛みを抑制することができた。凹部の後壁を成す凸部の高さを低くし、氷取出口を開放した状態での氷案内板の氷塊案内面と前壁の傾斜面とが連続して位置するようにしたので、氷塊案内面から傾斜面にかけて段差を無くすことができ、スコップを氷塊案内面に沿って刺し込む際に、そのままの勢いで前壁の裏側にある氷塊を掬うことができる。
【００１３】
本発明では、前述の実施例に限定されず、以下の如く変更することも可能である。
(１)凹部３０の底面は、どちらかの切り欠き３９に向けて傾斜させてもよい。傾斜させることで凹部３０内に流れ込む融氷水を確実に排水口９へと案内することができる。
(２)凹部３０から傾斜面８ａの下端にかけて縦に伸びる溝を等間隔で複数本並設してもよい。これにより、上記(１)のように傾斜を設けなくても各溝から融氷水を排水口９へと案内することができる。
(３)前記実施例では凹部３０を前壁８における上面８ｂの後部に設けたが、上面８ｂの中央部に設けてもよいし、前部に設けてもよい。その際、凹部３０の後壁を成す凸部３７の高さは、必ずしも低くする必要はなく上面８ｂの高さと同等の高さとしてもよい。
【図面の簡単な説明】
【００１４】
【図１】実施例に係る貯氷庫における氷取出口周辺部の拡大断面図である。
【図２】実施例に係る貯氷庫における氷取出口周辺部の斜視図である。
【図３】従来の貯氷庫における外扉を閉じた状態の断面図である。
【図４】従来及び実施例に係るスロープの外観斜視図である。
【図５】従来の貯氷庫における外扉を開けた状態の断面図である。
【図６】従来の貯氷庫における氷取出口周辺部の拡大断面図である。
【符号の説明】
【００１５】
２  貯氷庫本体
８  前壁
８ａ  傾斜面
８ｂ  上面
１５  スロープ
１７  氷案内板
３０  凹部
３５  支持軸
３７  凸部
【図１】
2010139173.tif 000003
【図２】
2010139173.tif 000004
【図３】
2010139173.tif 000005
【図４】
2010139173.tif 000006
【図５】
2010139173.tif 000007
【図６】
2010139173.tif 000008